(57)【要約】  【課題】  デモンストレーションあるいは広告を出力すべき状況を自動的に検出して出力する再生装置を提供する。    【解決手段】  システムコントローラ３８は、ＡＣアダプタ１０からの電力供給を受けており、且つ、電池装着部１２に充電式電池ＢＡＴが装着されていないことを条件に、デモンストレーション画像を自動的にディスプレイ２４に出力する  【選択図】  図１
2006155748.tif 000002
【特許請求の範囲】
【請求項１】
入力した信号に応じた画像あるいは音声を出力する出力手段と、
前記信号を前記出力手段に出力する処理回路と、
充電式電池を着脱可能に装着する電池装着手段と、
ＡＣアダプタから電力を受けた場合に、前記ＡＣアダプタから受けた電力で前記出力手段および前記処理回路を駆動し、前記ＡＣアダプタから電力を受けておらず且つ前記電池装着手段に前記充電式電池が装着されている場合に、前記充電式電池からの電力で前記出力手段および前記処理回路を駆動する電力制御回路と
を有し、
前記処理回路は、前記ＡＣアダプタから電力を受けており、且つ前記電池装着手段に前記充電式電池が装着されていないという第１の条件を満たすか否かを判断し、前記第１の条件を満たすと判断した場合に、前記再生装置に関する予め決められたデモンストレーション信号あるいは広告信号を前記出力手段に出力する
再生装置。
【請求項２】
記録媒体を着脱可能に装着する記録媒体装着手段
をさらに有し、
前記処理回路は、前記記録媒体装着手段に前記記録媒体が装着されていないという第２の条件を満たすか否かを判断し、前記第１の条件に加えて前記第２の条件をさらに満たすと判断した場合に、前記再生装置に関する予め決められたデモンストレーション信号あるいは広告信号を前記出力手段に出力する
請求項１に記載の再生装置。
【請求項３】
前記記録媒体装着手段は、前記記録媒体の装着部を開閉する蓋を有し、
前記処理回路は、前記装着部に前記記録媒体が装着されておらず、且つ前記蓋が閉められていることを前記第２の条件として前記判断を行う
請求項２に記載の再生装置。
【請求項４】
ユーザが前記再生装置に関して所定の操作を行ったか否かを示す指標データを記憶する不揮発性メモリ
をさらに有し、
前記処理手段は、前記ユーザが前記操作を行っていないことを示す前記指標データが前記不揮発性メモリに記憶されているという第３の条件を満たすか否かを判断し、前記第１の条件に加えて前記第３の条件をさらに満たすと判断した場合に、前記デモンストレーション信号あるいは前記広告信号を前記出力手段に出力する
請求項１に記載の再生装置。
【請求項５】
前記電力制御回路は、前記ＡＣアダプタから電力を受けている場合に、前記電池装着手段に装着された前記充電式電池を前記ＡＣアダプタからの電力で充電し、
前記処理回路は、前記電源制御回路が前記充電式電池の充電を行った場合に、前記ユーザが前記操作を行ったことを示すように前記不揮発性メモリに記憶された前記指標データを更新する
請求項４に記載の再生装置。
【請求項６】
前記処理回路は、記録媒体装着手段に装着された記録媒体に対して書き込みを行った場合に、前記ユーザが前記操作を行ったことを示すように前記不揮発性メモリに記憶された前記指標データを更新する
請求項４に記載の再生装置。
【請求項７】
電池装着手段に着脱可能に充電式電池を装着し、再生出力を行う出力手段を備えた再生装置が行うデータ処理方法であって、
前記再生装置がＡＣアダプタから電力を受けており、且つ前記電池装着手段に充電式電池が装着されていないという条件を満たすか否かを判断する第１の工程と、
前記第１の工程で前記条件を満たすと判断した場合に、前記再生装置に関する予め決められたデモンストレーションおよび広告に関する画像あるいは音声を前記出力手段から出力する第２の工程と
を有するデータ処理方法。
【請求項８】
電池装着手段に着脱可能に充電式電池を装着し、再生出力を行う出力手段を備えた再生装置が実行するプログラムであって、
前記再生装置がＡＣアダプタから電力を受けており、且つ前記電池装着手段に充電式電池が装着されていないという条件を満たすか否かを判断する第１の手順と、
前記第１の手順で前記条件を満たすと判断した場合に、前記再生装置に関する予め決められたデモンストレーションおよび広告に関する画像あるいは音声を前記出力手段から出力する第２の手順と
を前記再生装置に実行させるプログラム。
【請求項９】
入力した信号に応じた画像あるいは音声を出力する出力手段と、
前記信号を前記出力手段に出力する処理回路と、
ユーザが当該再生装置に関して操作を行ったか否かを示す指標データを記憶する不揮発性メモリと
を有し、
前記処理回路は、前記ユーザが前記再生装置に関して所定の操作を最初に行うと前記操作を行ったことを示すように前記不揮発性メモリに記憶された前記指標データを書き換え、前記再生装置がＡＣアダプタから電力を受けると、前記ユーザが前記操作を行っていないことを示す前記指標データが前記不揮発性メモリに記憶されているという条件を満たすか否かを判断し、前記条件を満たすと判断した場合に、前記再生装置に関する予め決められたデモンストレーション信号あるいは広告信号を前記出力手段に出力する
再生装置。
【請求項１０】
前記ＡＣアダプタから電力を受けている場合に、電池装着手段に装着された充電式電池を前記ＡＣアダプタからの電力で充電する電源制御回路
をさらに有し、
前記処理回路は、前記電源制御回路が前記充電式電池の充電を行った場合に、前記ユーザが前記操作を行ったことを示すように前記不揮発性メモリに記憶された前記指標データを更新する
請求項９に記載の再生装置。
【請求項１１】
前記処理回路は、記録媒体装着手段に装着された記録媒体に対して書き込みを行った場合に、前記ユーザが前記操作を行ったことを示すように前記不揮発性メモリに記憶された前記指標データを更新する
請求項９に記載の再生装置。
【請求項１２】
前記処理回路は、前記再生装置に備えられた時計が設定された場合、あるいは、前記再生装置に外部装置との間でデータ授受を行うケーブルが接続された場合に、前記ユーザが前記操作を行ったことを示すように前記不揮発性メモリに記憶された前記指標データを更新する
請求項９に記載の再生装置。
【請求項１３】
再生出力を行う出力手段と不揮発性メモリとを備えた再生装置が行うデータ処理方法であって、
ユーザが前記再生装置に関して所定の操作を最初に行うと前記操作を行ったことを示すように前記不揮発性メモリに記憶された前記指標データを書き換える第１の工程と、
前記再生装置がＡＣアダプタから電力を受けると、前記ユーザが前記操作を行っていないことを示す前記指標データが前記不揮発性メモリに記憶されているという条件を満たすか否かを判断する第２の工程と、
前記第２の工程で前記条件を満たすと判断した場合に、前記再生装置に関する予め決められたデモンストレーションおよび広告に関する画像あるいは音声を前記出力手段から出力する第３の工程と
を有するデータ処理方法。
【請求項１４】
再生出力を行う出力手段と不揮発性メモリとを備えた再生装置が実行するプログラムであって、
ユーザが前記再生装置に関して所定の操作を最初に行うと前記操作を行ったことを示すように前記不揮発性メモリに記憶された前記指標データを書き換える第１の手順と、
前記再生装置がＡＣアダプタから電力を受けると、前記ユーザが前記操作を行っていないことを示す前記指標データが前記不揮発性メモリに記憶されているという条件を満たすか否かを判断する第２の手順と、
前記第２の手順で前記条件を満たすと判断した場合に、前記再生装置に関する予め決められたデモンストレーションおよび広告に関する画像あるいは音声を前記出力手段から出力する第３の手順と
を前記再生装置に実行させるプログラム。
【発明の詳細な説明】
【技術分野】
【０００１】
本発明は、店舗などに陳列されたときにデモンストレーションや広告を出力する再生装置、データ処理方法およびプログラムに関する。
【背景技術】
【０００２】
例えば、携帯型のミニディスク再生装置などの携帯型再生装置は、例えば、デモンストレーション機能が搭載されており、店頭などに商品として陳列されているときに、店員が当該デモンストレーション機能を起動する。
当該デモンストレーション機能は、例えば、その携帯型再生装置を使用状況などのデモ画像を当該携帯型再生装置のディスプレイに表示する機能である。
このようなデモンストレーション機能は、商品が店頭に陳列されているときのみに必要であり、その商品をユーザが購入したときには使用されてない。
従って、例えば、ユーザが知らない所定の隠しコマンドを店員が携帯型再生装置を操作して入力することでデモンストレーション機能が起動される。
【特許文献１】特開２００１−２０３９６３号公報
【発明の開示】
【発明が解決しようとする課題】
【０００３】
しかしながら、上述した従来の携帯型再生装置では、店員は、開店前に携帯型再生装置に隠しコマンドを入力しなければならず、負担が大きいという問題がる。
また、このように負担が大きいため、店頭において、携帯型再生装置の上記デモンストレーション機能が殆ど利用されていないという問題がある。
【０００４】
本発明は上述した従来技術の問題点を解決するために、デモンストレーションあるいは広告を出力すべき状況を自動的に検出して出力する再生装置、データ処理方法およびプログラムを提供することを目的とする。
【課題を解決するための手段】
【０００５】
上述した従来技術の問題点を解決し、上述した目的を達成するため、第１の観点の発明の再生装置は、入力した信号に応じた画像あるいは音声を出力する出力手段と、前記信号を前記出力手段に出力する処理回路と、充電式電池を着脱可能に装着する電池装着手段と、ＡＣアダプタから電力を受けた場合に、前記ＡＣアダプタから受けた電力で前記出力手段および前記処理回路を駆動し、前記ＡＣアダプタから電力を受けておらず且つ前記電池装着手段に前記充電式電池が装着されている場合に、前記充電式電池からの電力で前記出力手段および前記処理回路を駆動する電力制御回路とを有し、前記処理回路は、前記ＡＣアダプタから電力を受けており、且つ前記電池装着手段に前記充電式電池が装着されていないという第１の条件を満たすか否かを判断し、前記第１の条件を満たすと判断した場合に、前記再生装置に関する予め決められたデモンストレーション信号あるいは広告信号を前記出力手段に出力する。
【０００６】
第１の観点の発明の再生装置の作用は以下のようになる。
先ず、処理回路が、前記ＡＣアダプタから電力を受けており、且つ前記電池装着手段に前記充電式電池が装着されていないという第１の条件を満たすか否かを判断する。
次に、前記処理回路が、前記第１の条件を満たすと判断した場合に、前記再生装置に関する予め決められたデモンストレーション信号あるいは広告信号を前記出力手段に出力する。
【０００７】
第２の観点の発明のデータ処理方法は、電池装着手段に着脱可能に充電式電池を装着し、再生出力を行う出力手段を備えた再生装置が行うデータ処理方法であって、前記再生装置がＡＣアダプタから電力を受けており、且つ前記電池装着手段に充電式電池が装着されていないという条件を満たすか否かを判断する第１の工程と、前記第１の工程で前記条件を満たすと判断した場合に、前記再生装置に関する予め決められたデモンストレーションおよび広告に関する画像あるいは音声を前記出力手段から出力する第２の工程とを有する。
【０００８】
第３の観点の発明のプログラムは、電池装着手段に着脱可能に充電式電池を装着し、再生出力を行う出力手段を備えた再生装置が実行するプログラムであって、前記再生装置がＡＣアダプタから電力を受けており、且つ前記電池装着手段に充電式電池が装着されていないという条件を満たすか否かを判断する第１の手順と、前記第１の手順で前記条件を満たすと判断した場合に、前記再生装置に関する予め決められたデモンストレーションおよび広告に関する画像あるいは音声を前記出力手段から出力する第２の手順とを前記再生装置に実行させる。
【０００９】
第４の観点の発明の再生装置は、入力した信号に応じた画像あるいは音声を出力する出力手段と、前記信号を前記出力手段に出力する処理回路と、ユーザが当該再生装置に関して操作を行ったか否かを示す指標データを記憶する不揮発性メモリとを有し、前記処理回路は、前記ユーザが前記再生装置に関して所定の操作を最初に行うと前記操作を行ったことを示すように前記不揮発性メモリに記憶された前記指標データを書き換え、前記再生装置がＡＣアダプタから電力を受けると、前記ユーザが前記操作を行っていないことを示す前記指標データが前記不揮発性メモリに記憶されているという条件を満たすか否かを判断し、前記条件を満たすと判断した場合に、前記再生装置に関する予め決められたデモンストレーション信号あるいは広告信号を前記出力手段に出力する。
【００１０】
第４の観点の発明の再生装置の作用は以下のようになる。
処理回路が、前記ユーザが前記再生装置に関して所定の操作を最初に行うと前記操作を行ったことを示すように前記不揮発性メモリに記憶された前記指標データを書き換える。
また、前記処理回路が、前記再生装置がＡＣアダプタから電力を受けると、前記ユーザが前記操作を行っていないことを示す前記指標データが前記不揮発性メモリに記憶されているという条件を満たすか否かを判断する。
次に、前記処理回路が、前記条件を満たすと判断した場合に、前記再生装置に関する予め決められたデモンストレーション信号あるいは広告信号を前記出力手段に出力する。
【００１１】
第５の観点の発明のデータ処理方法は、再生出力を行う出力手段と不揮発性メモリとを備えた再生装置が行うデータ処理方法であって、ユーザが前記再生装置に関して所定の操作を最初に行うと前記操作を行ったことを示すように前記不揮発性メモリに記憶された前記指標データを書き換える第１の工程と、前記再生装置がＡＣアダプタから電力を受けると、前記ユーザが前記操作を行っていないことを示す前記指標データが前記不揮発性メモリに記憶されているという条件を満たすか否かを判断する第２の工程と、前記第２の工程で前記条件を満たすと判断した場合に、前記再生装置に関する予め決められたデモンストレーションおよび広告に関する画像あるいは音声を前記出力手段から出力する第３の工程とを有する。
【００１２】
第６の観点の発明のプログラムは、再生出力を行う出力手段と不揮発性メモリとを備えた再生装置が実行するプログラムであって、ユーザが前記再生装置に関して所定の操作を最初に行うと前記操作を行ったことを示すように前記不揮発性メモリに記憶された前記指標データを書き換える第１の手順と、前記再生装置がＡＣアダプタから電力を受けると、前記ユーザが前記操作を行っていないことを示す前記指標データが前記不揮発性メモリに記憶されているという条件を満たすか否かを判断する第２の手順と、前記第２の手順で前記条件を満たすと判断した場合に、前記再生装置に関する予め決められたデモンストレーションおよび広告に関する画像あるいは音声を前記出力手段から出力する第３の手順とを前記再生装置に実行させる。
【発明の効果】
【００１３】
本発明によれば、デモンストレーションあるいは広告を出力すべき状況を自動的に検出して出力する再生装置、データ処理方法およびプログラムを提供することができる。
【発明を実施するための最良の形態】
【００１４】
＜第１実施形態＞
以下、本発明の第１実施形態を説明する。
当該実施形態は、第１〜第３の観点の発明に対応している。
先ず、本実施形態の構成要素と、本発明の構成要素との対応関係を説明する。
図１に示すディスプレイ２４が本発明の出力手段に対応し、システムコントローラ３８が本発明の処理回路に対応し、電池装着部１２が本発明の電池装着手段に対応し、電源制御回路１４が本発明の電力制御回路に対応し、ＡＣアダプタ１０が本発明のＡＣアダプタに対応している。
また、充電式電池ＢＡＴが本発明の充電式電池に対応している。
また、ディスク装着部１８が本発明の記録媒体装着手段に対応している。
また、フラッシュメモリ３６が本発明の不揮発性メモリに対応している。
また、指標データＩＮＤＥＸが本発明の指標データに対応している。
また、携帯型ミニディスクプレーヤ１が第１〜第３の観点の発明の再生装置に対応し、ＰＲＧが第３の観点の発明のプログラムに対応している。
また、図３に示すステップＳＴ２１，ＳＴ２２が第２の観点の発明の第１の工程または第３の観点の発明の第１の手順に対応し、図３に示すステップＳＴ２７が第２の観点の発明の第２の工程または第３の観点の発明の第２の手順に対応している。
【００１５】
図１は、本発明の実施形態に係わる携帯型ミニディスクプレーヤ１の全体構成図である。
図１に示すように、携帯型ミニディスクプレーヤ１は、例えば、ＡＣアダプタ１０、電池装着部１２、電源制御回路１４、ディスク装着部１８、メディアドライブ２０、ＵＳＢ(Universal Serial Bus)コネクタ２２、ディスプレイ２４、オーディオ処理回路２８、ＤＲＡＭ(Dynamic Random Access Memory)３０、メモリ転送コントローラ３２、ＳＲＡＭ(Static Random Access Memory)３４、フラッシュメモリ３６およびシステムコントローラ３８を有する。
携帯型ミニディスクプレーヤ１は、ＵＳＢコネクタ２２を介してＰＣ５０と接続可能である。
また、携帯型ミニディスクプレーヤ１は、オーディオ信号をヘッドフォンスピーカ５２に出力し、外部音響機器５４からオーディオ信号を入力する。
【００１６】
以下、図１に示す各構成要素を説明する。
ＡＣアダプタ１０は、コンセントからの電力（電圧あるいは電流）を交流電力から直流電力に変換して電源制御回路１４に供給する。
電池装着部１２は、充電式電池ＢＡＴを着脱可能な状態で装着し、充電式電池ＢＡＴを装着している状態で充電式電池ＢＡＴに蓄積された直流電力を電源制御回路１４に供給する。
電源制御回路１４は、ＡＣアダプタ１０から直流電力の供給を受けている場合には、ＡＣアダプタ１０からの直流電力で携帯型ミニディスクプレーヤ１内の各構成要素を駆動する。
また、電源制御回路１４は、ＡＣアダプタ１０から直流電力の供給を受けておらず、且つ、充電式電池ＢＡＴから直流電力の供給を受けている場合（電池装着部１２に充電式電池ＢＡＴが装着されている場合）に、充電式電池ＢＡＴからの直流電力で携帯型ミニディスクプレーヤ１内の各構成要素を駆動する。
また、電源制御回路１４は、ＡＣアダプタ１０から直流電力の供給を受けている状態で、電池装着部１２に装着された充電式電池ＢＡＴが満充電でない場合には、ＡＣアダプタ１０からの直流電力で充電式電池ＢＡＴを充電する。
【００１７】
ディスク装着部１８は、記録ディスクＤＩＳＫを着脱可能に装着する装着部を有する。
また、ディスク装着部１８は、開閉可能な蓋を有し、ユーザは上記装着部に記録ディスクＤＩＳＫを着脱する際に上記蓋を開け、それ以外で上記蓋を閉じる。
本実施形態において、記録ディスクＤＩＳＫとしては、例えば、ＭＤ(Mini Disc)やＨｉ−ＭＤが用いられる。
【００１８】
メディアドライブ２０は、ディスク装着部１８の装着部に装着された記録ディスクＤＩＳＫからのデータの読み出し、並びに記録ディスクＤＩＳＫへのデータの書き込みを行う。メディアドライブ２０は、記録ディスクＤＩＳＫがＭＤやＨｉ−ＭＤの場合には、記録ディスクＤＩＳＫに対してオーディオデータの読み出し、並びに書き込みを行う。
以下の例では、記録ディスクＤＩＳＫがＭＤやＨｉ−ＭＤである場合を例示する。
【００１９】
ＵＳＢコネクタ２２は、ＵＳＢケーブルを介して、ＰＣ５０と接続され、ＰＣ５０との間でオーディオデータなどの種々のデータを入出力する。
ディスプレイ２４は、例えば、ユーザの図示しない操作部の操作に応じた表示信号をシステムコントローラ３８から入力し、操作画面などを表示する。
【００２０】
オーディオ処理回路２８は、ＤＲＡＭ３０に一時的に記憶されたオーディオデータを読み出して復号などの再生処理を行い、オーディオ再生信号をヘッドフォンスピーカ５２に出力する。
当該復号の符号化方式としては、ＡＴＲＡＣ(Adaptive Transform Acoustic Coding)やＡＴＲＡＣ３が用いられる。
【００２１】
ＤＲＡＭ３０は、記録ディスクＤＩＳＫから読み出されたオーディオデータを記憶する。
メモリ転送コントローラ３２は、メディアドライブ２０が記録ディスクＤＩＳＫから読み出したオーディオデータをＤＲＡＭ３０に書き込む。
ＳＲＡＭ３４は、システムコントローラ３８の処理を規定したプログラムＰＲＧなどを記憶する。
【００２２】
フラッシュメモリ３６は、指標データＩＮＤＥＸを記憶する。
指標データＩＮＤＥＸは、例えば、携帯型ミニディスクプレーヤ１のユーザによって操作された履歴があるか否か（すなわち、携帯型ミニディスクプレーヤ１が出荷されたものであるか否か）を判断する指標となるデータである。
指標データＩＮＤＥＸは、ユーザの使用履歴無および使用履歴有のいずれかを示し、携帯型ミニディスクプレーヤ１の出荷時には初期値としてユーザの使用履歴無を示している。
また、フラッシュメモリ３６は、携帯型ミニディスクプレーヤ１のデモンストレーションデータＤＥＭＯを記憶する。
デモンストレーションデータＤＥＭＯは、例えば、携帯型ミニディスクプレーヤ１の機能などを紹介する宣伝用の画像データである。
【００２３】
システムコントローラ３８は、携帯型ミニディスクプレーヤ１の動作を統括的に制御する。
システムコントローラ３８は、携帯型ミニディスクプレーヤ１が出荷された後にユーザが行った操作に基づいて、フラッシュメモリ３６に記憶された指標データＩＮＤＥＸを、ユーザの使用履歴無を示す状態から、ユーザの使用履歴有を示す状態に書き換える。
具体的には、システムコントローラ３８は、電池装着部１２に装着された充電式電池ＢＡＴの充電動作、ディスク装着部１８に装着された記録ディスクＤＩＳＫへの書き込み動作、携帯型ミニディスクプレーヤ１内の図示しない時計の設定動作、ＵＳＢコネクタ２２へのＵＳＢケーブルの接続動作のいずれか一つでも行われると、指標データＩＮＤＥＸを、ユーザの使用履歴無を示す状態から、ユーザの使用履歴有を示す状態に書き換える。
【００２４】
以下、図１に示す携帯型ミニディスクプレーヤ１の動作例を説明する。
［第１の動作例］
以下、携帯型ミニディスクプレーヤ１が、その出荷後に、ユーザの操作等に応じてフラッシュメモリ３６に記憶された指標データＩＮＤＥＸを書き換える動作例を説明する。
図２は、当該動作例を説明するためのフローチャートである。
ステップＳＴ１：
システムコントローラ３８は、ユーザによる操作に応じた操作信号などを基に、携帯型ミニディスクプレーヤ１に関して予め決められた状態を検出すると、ステップＳＴ２に進む。
ステップＳＴ２：
システムコントローラ３８は、フラッシュメモリ３６から指標データＩＮＤＥＸを読み出す。
【００２５】
ステップＳＴ３：
システムコントローラ３８は、ステップＳＴ２で読み出した指標データＩＮＤＥＸがユーザによる使用履歴有を示す場合にステップＳＴ１に戻り、使用履歴無を示す場合にステップＳＴ４に進む。
ステップＳＴ４：
システムコントローラ３８は、電池装着部１２に装着された電池装着部１２への充電動作がステップＳＴ１の状態として検出されたか否かを判断し、そうであると判断するとステップＳＴ８に進み、そうでない場合にステップＳＴ５に進む。
【００２６】
ステップＳＴ５：
システムコントローラ３８は、ディスク装着部１８に装着された記録ディスクＤＩＳＫへのデータ書き込み動作がステップＳＴ１の状態として検出されたか否かを判断し、そうであると判断するとステップＳＴ８に進み、そうでない場合にステップＳＴ６に進む。
ステップＳＴ６：
システムコントローラ３８は、携帯型ミニディスクプレーヤ１内の時計のユーザによる設定動作がステップＳＴ１の状態として検出されたか否かを判断し、そうであると判断するとステップＳＴ８に進み、そうでない場合にステップＳＴ７に進む。
ステップＳＴ７：
システムコントローラ３８は、ＵＳＢコネクタ２２にＵＳＢケーブルが接続されたことがステップＳＴ１の状態として検出されたか否かを判断し、そうであると判断するとステップＳＴ８に進み、そうでない場合にステップＳＴ１に進む。
【００２７】
ステップＳＴ８：
システムコントローラ３８は、ステップＳＴ２でフラッシュメモリ３６から読み出した指標データＩＮＤＥＸを、使用履歴有を示すように書き換えてフラッシュメモリ３６に書き込む。その後、システムコントローラ３８は、ステップＳＴ１に戻る。
【００２８】
［第２の動作例］
以下、携帯型ミニディスクプレーヤ１が、ＡＣアダプタ１０からの電力供給を検出した場合の動作例を説明する。
図３は、当該動作例を説明するためのフローチャートである。
ステップＳＴ２１：
システムコントローラ３８は、電源制御回路１４の動作状態を基に、電源制御回路１４がＡＣアダプタ１０からの電力供給を受けているか否かを判断し、受けていると判断するとステップＳＴ２２に進み、そうでない場合には上記判断を繰り返す。
当該ステップＳＴ２１では、例えば、携帯型ミニディスクプレーヤ１が、ＡＣアダプタ１０から電力供給を受けていない状態から、受けた状態に切り替わったときに、ステップＳＴ２２に進むようにシステムコントローラ３８によって処理が行われる。
ステップＳＴ２２：
システムコントローラ３８は、例えば、電源制御回路１４の動作状態を基に、電源制御回路１４が電池装着部１２に装着された充電式電池ＢＡＴから電力供給を受けているか否かを判断し、充電式電池ＢＡＴから電力供給を受けていると判断すると処理を終了し、充電式電池ＢＡＴから電力供給を受けていないと判断するとステップＳＴ２３に進む。
【００２９】
ステップＳＴ２３：
システムコントローラ３８は、フラッシュメモリ３６から指標データＩＮＤＥＸを読み出し、当該指標データＩＮＤＥＸがユーザによる使用履歴有を示すか否かを判断し、使用履歴有を示すと判断すると処理を終了し、使用履歴無を示すと判断するとステップＳＴ２４に進む。
ステップＳＴ２４：
システムコントローラ３８は、ディスク装着部１８の蓋が閉じているか否かを判断し、閉じていると判断するとステップＳＴ２５に進み、そうでない場合には処理を終了する。
ステップＳＴ２５：
システムコントローラ３８は、ディスク装着部１８の装着部に記録ディスクＤＩＳＫが装着されているか否かを判断し、装着されていると判断した場合に処理を終了し、装着されていないと判断した場合にステップＳＴ２６に進む。
【００３０】
ステップＳＴ２６：
システムコントローラ３８は、ＵＳＢコネクタ２２に    ＵＳＢケーブルが接続されてるか否かを判断し、接続されていると判断すると処理を終了し、接続されていないと判断するとステップＳＴ２７に進む。
ステップＳＴ２７：
システムコントローラ３８は、例えば、フラッシュメモリ３６からデモンストレーションデータＤＥＭＯを読み出し、これを再生処理してデモ画像をディスプレイ２４に表示させる。
【００３１】
以上説明したように、携帯型ミニディスクプレーヤ１によれば、ステップＳＴ２１，ＳＴ２２で、電源制御回路１４がＡＣアダプタ１０からの電力供給を受けており、且つ電池装着部１２に充電式電池ＢＡＴが装着されていず、または充電式電池ＢＡＴから電力供給を受けていないという条件を満たさない場合には、デモンストレーションデータＤＥＭＯに応じた画像出力を行わない。
ここで、ユーザが携帯型ミニディスクプレーヤ１を購入した後にそれを使用する場合には、電池装着部１２に充電式電池ＢＡＴを装着した状態になっている。
従って、システムコントローラ３８は、上記条件を満たさない場合に、デモンストレーションデータＤＥＭＯに応じた画像出力を行わないようにすることで、携帯型ミニディスクプレーヤ１の出荷後にデモンストレーション画像が出力されてしまうことを回避できる。
また、携帯型ミニディスクプレーヤ１が店舗などに商品として陳列されているとき、盗難防止および充電式電池ＢＡＴの消耗などの観点から電池装着部１２には充電式電池ＢＡＴは装着されず、またはＢＡＴからの電力供給を行わずに携帯型ミニディスクプレーヤ１はＡＣアダプタ１０からの直流電力で駆動される。携帯型ミニディスクプレーヤ１によれば、このような状況において、さらにステップＳＴ２３〜ＳＴ２６の条件を満たした場合に、隠しコマンドを入力することなく、自動的にデモンストレーション画像を出力できる。
これにより、携帯型ミニディスクプレーヤ１が店舗に商品として陳列されている場合に、携帯型ミニディスクプレーヤ１のＡＣアダプタ１０が接続された元電源を入れるだけで、店員が隠しコマンドを入力することなく、携帯型ミニディスクプレーヤ１にデモンストレーション画像を出力させることができ、携帯型ミニディスクプレーヤ１のデモンストレーション機能を適切に発揮させることができる。
【００３２】
また、携帯型ミニディスクプレーヤ１によれば、ステップＳＴ２１，ＳＴ２２の条件に加えて、ステップＳＴ２３〜ＳＴ２４の条件をさらに満たすことを条件に、デモンストレーション画像を出力するため、出荷後にデモンストレーション画像が出力されることを効果的に回避できる。
【００３３】
＜第２実施形態＞
当該実施形態は、第４〜第６の観点の発明に対応している。
先ず、本実施形態の構成要素と、本発明の構成要素との対応関係を説明する。
図１に示すディスプレイ２４が第２の観点の発明の出力手段に対応し、システムコントローラ３８ａが本発明の処理回路に対応し、電池装着部１２が本発明の電池装着手段に対応し、電源制御回路１４が本発明の電力制御回路に対応し、ＡＣアダプタ１０が本発明のＡＣアダプタに対応している。
また、充電式電池ＢＡＴが本発明の充電式電池に対応している。
また、ディスク装着部１８が本発明の記録媒体装着手段に対応している。
また、フラッシュメモリ３６が本発明の不揮発性メモリに対応している。
また、指標データＩＮＤＥＸが本発明の指標データに対応している。
また、携帯型ミニディスクプレーヤ１ａが第４〜第６の観点の発明の再生装置に対応し、ＰＲＧが第６の観点の発明のプログラムに対応している。
また、図２に示す各ステップが第５の観点の発明の第１の工程または第６の観点の発明の第１の手順に対応し、図３に示すステップＳＴ２３が第５の観点の発明の第２の工程または第６の観点の発明の第２の手順に対応し、図３に示すステップＳＴ２７が第５の観点の発明の第３の工程または第６の観点の発明の第３の手順に対応している。
【００３４】
本実施形態の携帯型ミニディスクプレーヤ１ａは、図１に示す携帯型ミニディスクプレーヤ１と基本的に同じ構成を有し、システムコントローラ３８ａの一部が第１実施形態のシステムコントローラ３８と異なる。
以下、システムコントローラ３８ａの処理を中心に説明する。
システムコントローラ３８ａは、図２に示す処理により、第１実施形態のシステムコントローラ３８と同様に、指標データＩＮＤＥＸを更新する。
システムコントローラ３８ａは、ＡＣアダプタ１０からの電力供給を検出した場合には、図４に示す処理により、デモンストレーション画像を出力する。
以下、図４の各ステップを説明する。
ステップＳＴ４１：
システムコントローラ３８ａは、電源制御回路１４の動作状態を基に、電源制御回路１４がＡＣアダプタ１０からの電力供給を受けているか否かを判断し、受けていると判断するとステップＳＴ４２に進み、そうでない場合には上記判断を繰り返す。
ステップＳＴ４２：
システムコントローラ３８ａは、フラッシュメモリ３６から指標データＩＮＤＥＸを読み出し、当該指標データＩＮＤＥＸがユーザによる使用履歴有を示すか否かを判断し、使用履歴有を示すと判断すると処理を終了し、使用履歴無を示すと判断するとステップＳＴ４３に進む。
ステップＳＴ４３：
システムコントローラ３８ａは、例えば、フラッシュメモリ３６からデモンストレーションデータＤＥＭＯを読み出し、これを再生処理してデモ画像をディスプレイ２４に表示させる。
【００３５】
以上説明したように、携帯型ミニディスクプレーヤ１ａによれば、システムコントローラ３８ａが図２に示す手順により、携帯型ミニディスクプレーヤ１が出荷後にユーザによって操作されたという状態を検出すると、指標データＩＮＤＥＸをユーザによる使用履歴有に書き換える。
そして、システムコントローラ３８ａが、図４に示すように、指標データＩＮＤＥＸが使用履歴無を示すことを条件にデモンストレーション画像を出力する。
携帯型ミニディスクプレーヤ１ａによっても、第１実施形態の携帯型ミニディスクプレーヤ１と同様の効果が得られる。
【００３６】
本発明は上述した実施形態には限定されない。
上述した実施形態では、電源制御回路１４が電池装着部１２に装着された充電式電池ＢＡＴから直流電力の供給を受けているか否かを基準に電池装着部１２に充電式電池ＢＡＴが装着されているか否かを判断したが、本発明は、例えば、電池装着部１２に充電式電池ＢＡＴが装着されているか否かを検出するセンサを設け、当該センサからの信号を基にシステムコントローラ３８が上記判断を行ってもよい。
【００３７】
また、上述した実施形態では、システムコントローラ３８，３８ａが、ＡＣアダプタ１０からの電源供給が開始される度に、デモンストレーション画像を出力するか否かの判断（図３に示すステップＳＴ２２、図４に示すステップＳＴ４２の判断）を行ったが、デモンストレーション画像を表示しないと一度判断した後は、ＡＣアダプタ１０からの電源供給が開始されてもデモンストレーション画像を出力するか否かの判断を行わずに、以後、デモンストレーション画像を表示しないように自動的に設定してもよい。
【００３８】
また、上述した実施形態では、図２に示すようにステップＳＴ４〜ＳＴ７のいずれかの条件を満たす場合に指標データＩＮＤＥＸを使用履歴有に書き換えたが、これらの条件のうち一部のみを用いてもよいし、これらの条件の複数を満たしたことを条件に当該書き換えを行ってもよい。
【００３９】
また、上述した実施形態では、図３に示すようにステップＳＴ２１，ＳＴ２２に加えて、ステップＳＴ２３〜ＳＴ２６の全てを満たした場合にステップＳＴ２７の処理を実行したが、ステップＳＴ２３〜ＳＴ２６の一部あるいは全部の条件を満たさなくてもステップＳＴ２７の処理を実行してもよい。
【００４０】
また、上述した実施形態では、デモンストレーション画像を出力する場合を例示したが、広告信号に基づいて広告画像を出力してもよい。
また、デモンストレーション信号または広告信号に基づいた音声出力を行ってもよい。
また、上述した実施形態では、携帯型ミニディスクプレーヤ１，１            ａとして携帯型のものを例示したが、本発明の再生装置は携帯型でなくてもよい。
【産業上の利用可能性】
【００４１】
本発明は、デモンストレーションあるいは広告を出力機能を備えた再生装置に提供可能である。
【図面の簡単な説明】
【００４２】
【図１】図１は、本発明の第１実施形態に係わる携帯型ミニディスクプレーヤの全体構成図である。
【図２】図２は、図１に示す携帯型ミニディスクプレーヤが、その出荷後に、ユーザの操作等に応じてフラッシュメモリに記憶された指標データＩＮＤＥＸを書き換える動作例を説明するためのフローチャートである。
【図３】図３は、図１に示す携帯型ミニディスクプレーヤが、ＡＣアダプタからの電力供給を検出した場合の動作例を説明するためのフローチャートである。
【図４】図４は、本発明の第２実施形態に係わる携帯型ミニディスクプレーヤが、ＡＣアダプタからの電力供給を検出した場合の動作例を説明するためのフローチャートである。
【符号の説明】
【００４３】
１，１ａ…携帯型ミニディスクプレーヤ、１０…ＡＣアダプタ、１２…電池装着部、１４…電源制御回路、１８…ディスク装着部、２０…メディアドライブ、２２…ＵＳＢコネクタ、２４…ディスプレイ、２８…オーディオ処理回路、３０…ＤＲＡＭ、３２…メモリ転送コントローラ、３４…ＳＲＡＭ、３６…フラッシュメモリ、５０…ＰＣ、５２…ヘッドフォンスピーカ、５４…外部音響機器、ＤＩＳＫ…記録ディスク、ＰＲＧ…プログラム、ＩＮＤＥＸ…指標データ
【図１】
2006155748.tif 000003
【図２】
2006155748.tif 000004
【図３】
2006155748.tif 000005
【図４】
2006155748.tif 000006